(57)【特許請求の範囲】
【請求項１】
遊技球が発射される遊技盤上に設けられ、遊技球が入賞可能な開放状態、及び遊技球が入賞不可能な閉塞状態とに変動可能な特別変動入賞装置と、
複数種類の当選とはずれのいずれかを抽選する抽選手段とを備え、
複数種類の当選にそれぞれ対応する有利状態が発生するように形成された遊技機において、
前記遊技盤上に、所定条件の成立に基づいて遊技球が入賞可能な開放状態となり、開放状態となった後所定条件の成立に基づいて遊技球が入賞不可能な閉塞状態に戻るとともに、開放状態への移行に関する順位が設定された複数の変動入賞装置と、
遊技球の入賞に基づいて前記変動入賞装置を閉塞状態から一時的に開放状態とする契機を付与する変動開始入賞口とを設け、
前記有利状態として、
前記特別変動入賞装置を開放状態としてから閉塞状態とするラウンドを複数回繰り返す特別開閉遊技と、
前記抽選手段の抽選において当選確率が高く設定される確率変動遊技と、
前記複数の変動入賞装置のうち開放状態となった上位の変動入賞装置への所定個数の遊技球の入賞を条件とする閉塞状態への復帰に基づいて、順次下位の変動入賞装置を開放状態とし、上位のいずれかの変動入賞装置に一定時間遊技球が入賞しない場合、又は最下位の変動入賞装置が開放後閉塞した場合には終了する連続開閉遊技と、が設けられ、
前記複数種類の当選として、
確率変動当選と、通常当選と、連続開閉当選と、特定確率変動当選と、が設けられ、
前記確率変動当選が当選した場合には、前記特別開閉遊技を発生させるとともに、この特別開閉遊技の終了後に前記確率変動遊技を発生させ、
前記確率変動遊技中でないときに前記通常当選が当選した場合には、前記特別開閉遊技のみを発生させ、前記確率変動遊技中に前記通常当選が当選した場合には、前記特別開閉遊技を発生させるとともに、この特別開閉遊技の終了後に前記抽選手段の抽選における当選確率を通常の確率に戻し、
前記連続開閉当選が当選した場合には、前記変動開始入賞口に入賞することを条件に、前記連続開閉遊技のみを発生させ、
前記特定確率変動当選が当選した場合には、前記変動開始入賞口に入賞することを条件に前記連続開閉遊技を発生させるとともに、この連続開閉遊技の終了後に、前記特別開閉遊技を発生させ、この特別開閉遊技の終了後に前記確率変動遊技を発生させるように形成されていることを特徴とする遊技機。
【請求項２】
前記遊技盤上に、遊技球を受け入れ可能な内部領域を備え、この内部領域に遊技球を流入可能とする開放状態、及び遊技球を流入不可能とする閉塞状態とに変動可能な開閉装置を有する可動役物装置を設け、
前記内部領域に、流入した遊技球の少なくとも一部を前記変動開始入賞口へと誘導可能な誘導装置を設け、
前記変動開始入賞口へは、前記誘導装置を通過した遊技球のみ入賞可能に形成し、
前記可動役物装置の作動を制御するための役物作動制御手段を設け、
前記役物作動制御手段は、前記連続開閉当選又は特定の確率変動当選の当選に基づいて、前記開閉装置を所定時間開放状態とさせることを特徴とする請求項１記載の遊技機。
【請求項３】
前記可動役物装置の内部領域を、流入した遊技球が前記変動開始入賞口に誘導され難い誘導装置を備えた第一領域と、流入した遊技球が前記変動開始入賞口に誘導されやすい誘導装置を備えた第二領域とに分割し、
前記開閉装置として、前記第一領域を開放状態又は閉塞状態とする第一開閉装置と、前記第二領域を開放状態又は閉塞状態とする第二開閉装置とを設け、
前記役物作動制御手段は、前記連続開閉当選又は特定の確率変動当選の当選を契機に行われる開閉抽選の抽選結果に基づいて、前記第一開閉装置又は前記第二開閉装置のいずれか一方を所定時間開放状態とさせることを特徴とする請求項２記載の遊技機。
【発明の詳細な説明】
【技術分野】
【０００１】
本発明は、パチンコ店などの遊技場に設置して使用される遊技機に関するものである。
【背景技術】
【０００２】
パチンコ遊技機には、多数の種類があるが、所謂一般電役（普通電役）と言われるパチンコ遊技機が知られている。この一般電役と呼ばれるパチンコ遊技機では、複数の変動入賞装置（電動役物）が遊技盤に設けられており、各変動入賞装置は、遊技球が入賞できない第１状態（閉塞状態）と、遊技球が入賞し易い第２状態（開放状態）との間で変動可能となっている。この種の遊技機として、大当り状態となったときには、複数の電動役物が、抽選により決定された順序に従って所定時間づつ開放状態となるようにした遊技機が発明されている（特許文献１参照）。
また、デジパチと呼ばれるパチンコ遊技機が知られており、デジパチでは、遊技球が入賞し易い開放状態と遊技球が入賞不可能な閉塞状態とに変動する特別変動入賞装置（大入賞口・アタッカー）と、変動表示ゲームを表示する可変表示装置を備え、変動表示ゲームが当りとなった場合に、特別変動入賞装置を比較的長い時間連続的に開放状態とする１ラウンドの遊技を所定のラウンド数まで行う特別遊技状態を発生するようになっている。そして、この種の遊技機では、大当り当選確率を高くする確率変動（確変）や、単位時間あたりの抽選回数を増やす「時短」によって出玉を増やすように設定されているものであった（特許文献２参照）。
【特許文献１】特開２００３−２９９８２９号公報
【特許文献２】特開２００７−２５２７１８号公報
【発明の開示】
【発明が解決しようとする課題】
【０００３】
一方、特別遊技状態として、「大当り」の他に、例えば１ラウンドのみ大入賞口が開放される「小当り」を備えたものがある。しかし、「小当り」そのものによって出玉が増大するということはなかった。
そこで、本願発明は、上記事情に着目してなされたものであり、各請求項に記載された各発明は、以下のような目的を有する。
すなわち、請求項１記載の発明は、「小当り」によって複数の入賞口の連動開放を行う今までにない遊技性を備えた遊技機を提供することを目的とする。
また、請求項２記載の発明は、上記目的に加え、「小当り」により開始される遊技の開始を可動役物への遊技球流入を契機とすることにより、遊技性を高めることを目的とし、請求項３記載の発明は、可動役物での遊技球分散によって、より遊技性を高めることを目的とする。
【課題を解決するための手段】
【０００４】
本願発明の特徴点を、図面に示した発明の実施の形態を用いて、以下に説明する。なお、括弧内の符号は、発明の実施の形態において用いた符号を示し、本発明の技術的範囲を限定するものではない。
（特徴点）
（請求項１）
請求項１記載の発明は、次の点を特徴とする。
すなわち、請求項１記載の発明は、遊技球が発射される遊技盤(1)上に設けられ、遊技球が入賞可能な開放状態、及び遊技球が入賞不可能な閉塞状態とに変動可能な特別変動入賞装置（大入賞口30）と、複数種類の当選とはずれのいずれかを抽選する抽選手段(110)と備え、複数種類の当選にそれぞれ対応する有利状態が発生するように形成された遊技機に係る。
【０００５】
本発明に係る遊技機は、デジパチと呼ばれるパチンコ遊技機の一種とすることができ、上記構成の他にも、遊技球の入賞が抽選手段(110)による当選抽選の契機となる始動入賞口(20)や、抽選結果に基づいて所定の絵図柄を変動表示させる変動表示ゲームを行うための可変表示部(40)を備えていてもよい。
そして、この遊技機は、前記遊技盤(1)上に、所定条件の成立に基づいて遊技球が入賞可能な開放状態となり、開放状態となった後所定条件の成立に基づいて遊技球が入賞不可能な閉塞状態に戻るとともに、開放状態への移行に関する順位が設定された複数の変動入賞装置（第二〜第四入賞口12〜14）と、遊技球の入賞に基づいて前記変動入賞装置(12〜14)を閉塞状態から一時的に開放状態とする契機を付与する変動開始入賞口（第一入賞口11）とを設けてある。また、前記有利状態として、前記特別変動入賞装置(30)を開放状態としてから閉塞状態とするラウンドを複数回繰り返す特別開閉遊技（大当り遊技）と、前記抽選手段(110)の抽選において当選確率が高く設定される確率変動遊技と、前記複数の変動入賞装置(12〜14)のうち開放状態となった上位の変動入賞装置(12〜14)への所定個数の遊技球の入賞を条件とする閉塞状態への復帰に基づいて、順次下位の変動入賞装置(12〜14)を開放状態とし、上位のいずれかの変動入賞装置(12〜14)に一定時間遊技球が入賞しない場合、又は最下位の変動入賞装置(12〜14)が開放後閉塞した場合には終了する連続開閉遊技（小当り遊技）と、が設けられ、前記複数種類の当選として、確率変動当選（２ラウンド確変当り）と、通常当選（２ラウンド通常当り）と、連続開閉当選（小当り）と、特定確率変動当選（５ラウンド確変当り）と、が設けられている。
【０００６】
そして、前記確率変動当選が当選した場合には、前記特別開閉遊技を発生させるとともに、この特別開閉遊技の終了後に前記確率変動遊技を発生させ、前記確率変動遊技中でないときに前記通常当選が当選した場合には、前記特別開閉遊技のみを発生させ、前記確率変動遊技中に前記通常当選が当選した場合には、前記特別開閉遊技を発生させるとともに、この特別開閉遊技の終了後に前記抽選手段の抽選における当選確率を通常の確率に戻し、前記連続開閉当選が当選した場合には、前記変動開始入賞口(11)に入賞することを条件に、前記連続開閉遊技のみを発生させ、前記特定確率変動当選が当選した場合には、前記変動開始入賞口(11)に入賞することを条件に前記連続開閉遊技を発生させるとともに、この連続開閉遊技の終了後に、前記特別開閉遊技を発生させ、この特別開閉遊技の終了後に前記確率変動遊技を発生させるように形成されていることを特徴とする。
【０００７】
ここで、前記変動開始入賞口(11)は、通常時は遊技球が入賞不可能な閉塞状態となっており、抽選手段(110)の抽選結果が特定の抽選結果（連続開閉当選又は特定の確率変動当選）となった場合に、遊技球が入賞可能な開放状態となるよう形成することができる。あるいは、通常時に入賞した場合には賞球が払い出されるだけの一般入賞口として機能し、特定の当選の当選時に入賞した場合に、連続開閉遊技を発生させるための入賞口として機能するようにしてもよい。
また、各変動入賞装置(12〜14)の開放態様（開放回数、開放時間、閉塞までの入賞回数）は予め定められた規定の態様であってもよいし、最下位の変動入賞装置(14)を除く変動入賞装置(12,13)に入賞した場合に、次の下位変動入賞口の開放態様を抽選により決定するようにしてもよい。
【０００８】
本発明によれば、連続開閉当選が当選した場合には変動開始入賞口(11)への入賞を皮切りに、順次開放される変動入賞装置(12〜14)に漏らさず入賞させることにより出玉を増やすことができる。また、確率変動当選が当選した場合には、特定の確率変動当選や連続開閉当選の当選確率も高くなるので、連続開閉遊技が発生する確率が増え、さらに連続開閉遊技の発生確率が高くなる。そして、確変状態中において、確変終了の契機となる通常当選を引かずに、いかに連続開閉当選を引き当てて出玉を増やすか、という従来にない遊技性を作り出すことができる。
（請求項２）
請求項２記載の発明は、上記した請求項１記載の発明の特徴点に加え、次の点を特徴とする。
【０００９】
すなわち、請求項２記載の発明は、前記遊技盤上(1)に、遊技球を受け入れ可能な内部領域を備え、この内部領域に遊技球を流入可能とする開放状態、及び遊技球を流入不可能とする閉塞状態とに変動可能な開閉装置を有する可動役物装置（センター役物50）を設け、前記内部領域に、流入した遊技球の少なくとも一部を前記変動開始入賞口(11)へと誘導可能な誘導装置を設け、前記変動開始入賞口(11)へは、前記誘導装置を通過した遊技球のみ入賞可能に形成し、前記可動役物装置(50)の作動を制御するための役物作動制御手段(130)を設け、前記役物作動制御手段(130)は、前記連続開閉当選又は特定の確率変動当選の当選に基づいて、前記開閉装置を所定時間開放状態とさせることを特徴とする。
【００１０】
本発明は、変動開始入賞口(11)への入賞条件として、可動役物装置(50)への入球を条件としたものである。
ここで、前記「開閉装置」は、可動役物装置(50)に設けられた開放口を開閉自在な開閉羽根(54,55)とすることができる。また、前記「誘導装置」は、遊技球を受け入れ可能な複数の孔を備えた回転体(56)（いわゆるクルーン）や、内部領域に流入した遊技球を変動開始入賞口(11)へと導く球通路などを含む。なお、誘導装置は、可動役物装置(50)の内部領域に流入した遊技球の全てを変動開始入賞口(11)に誘導可能であってもよいし、その一部のみ変動開始入賞口(11)に誘導し残りは遊技盤(1)の外に排出可能となっていてもよい。
【００１１】
本発明によれば、変動開始入賞口(11)に入賞させるために、いかに可動役物装置(50)に遊技球を入れられるかということがポイントとなるので、遊技性を高めることができる。
（請求項３）
請求項３記載の発明は、上記した請求項２記載の発明の特徴点に加え、次の点を特徴とする。
すなわち、請求項３記載の発明は、前記可動役物装置(50)の内部領域を、流入した遊技球が前記変動開始入賞口(11)に誘導され難い誘導装置を備えた第一領域（上部領域50A）と、流入した遊技球が前記変動開始入賞口(11)に誘導されやすい誘導装置を備えた第二領域（下部領域50B）とに分割し、前記開閉装置として、前記第一領域(50A)を開放状態又は閉塞状態とする第一開閉装置（第一開閉羽根54）と、前記第二領域(50B)を開放状態又は閉塞状態とする第二開閉装置（第二開閉羽根55）とを設け、前記役物作動制御手段(130)は、前記連続開閉当選又は特定の確率変動当選の当選を契機に行われる開閉抽選の抽選結果に基づいて、前記第一開閉装置(54)又は前記第二開閉装置(55)のいずれか一方を所定時間開放状態とさせることを特徴とする。
【００１２】
ここで、第一領域(50A)と第二領域(50B)は上下に配置されていてもよいし、左右に配置されていてもよい。また、「遊技球が変動開始入賞口(11)に誘導され難い誘導装置」とは、例えば変動開始入賞口(11)に連通する当り孔が１つしかない回転体(56)とすることができ、「遊技球が変動開始入賞口(11)に誘導されやすい誘導装置」とは、開閉装置の開放によって領域内に流入した遊技球をすべて変動開始入賞口(11)に誘導する誘導路(58)とすることができる。
前記開閉抽選は、第一開閉装置(54)と第二開閉装置(55)のいずれを開放作動させるかの抽選であって、開閉回数や開放時間も同時に抽選可能であってもよい。また開閉抽選は、抽選手段(110)が行ってもよいし役物作動制御手段(130)が行ってもよい。
【００１３】
本発明によれば、いずれの開閉装置が開放されるかによって連続開閉遊技への移行しやすさが変化するので、より遊技性を高めることができる。
【発明の効果】
【００１４】
各請求項に記載された発明は、上記したように形成されているので、以下のような効果を奏する。
すなわち、請求項１記載の発明によれば、「小当り」によって複数の入賞口の連動開放を行う今までにない遊技性を備えた遊技機を提供することができる。
また、請求項２記載の発明によれば、上記効果に加え、「小当り」により開始される遊技の開始を可動役物への遊技球流入を契機とすることにより、遊技性を高めることができ、請求項３記載の発明によれば、可動役物での遊技球分散によって、より遊技性を高めることができる。
【発明を実施するための最良の形態】
【００１５】
本発明の好適な実施の形態を、遊技機としてパチンコ遊技機を例に、図面に基づき説明する。
（図面の説明）
図１乃至図１１は、本発明の実施の形態を示すものである。
図１はパチンコ遊技機Ｐの外観正面図、図２は遊技盤の詳細図、図３はパチンコ遊技機Ｐの制御装置を示すブロック図、図４乃至図１０は、パチンコ遊技機Ｐの作動を説明する流れ図、図１１は大当り及び小当り確率の設定の一例を示す表である。
（パチンコ遊技機Ｐ）
パチンコ遊技機Ｐは、図１に示すように、大きく分けて、方形枠状の筐体２と、筐体２に着脱自在に取り付けられる前扉３と、前扉３の内側に配置される遊技盤１とから構成されている。
【００１６】
前記筐体２は、遊技場の「島」と呼ばれる遊技機設置場所に固定され、筐体２の下方には、上側が開放する球皿４と、球皿４の右下端部に位置し正面側に突出するハンドル５が設けられている。ここで、前記球皿４は、入賞により払い出された遊技球を貯留可能な受け皿であり、前記ハンドル５は、その操作により内部に設けられた球発射装置90（図３参照）を作動させるためのものである。
前記前扉３は、中央に窓部を有する板状の扉であり、窓部の内側には窓部を塞ぐようにガラス枠3Aが設けられている。そしてこのガラス枠3Aを通して、正面側から遊技盤１の盤面を見ることができるようになっている。また、前扉３の上部には、スピーカ６と演出用のランプ７が設けられている。
【００１７】
（遊技盤１）
遊技盤１は、図２に示すように、ガイドレール10によって囲まれた遊技領域１ａを有する板部材である。遊技盤１の盤面には、特に図示しないが、遊技球の流下方向を規制するとともに流下方向を転換する風車や複数の釘などの流下規制転換部材が設けられている。前記ガイドレール10は、ハンドル５を操作することによって玉発射装置90（図３参照）から発射された遊技球を、遊技領域１ａへと誘導するためのものである。
遊技盤１の盤面中央部には、センター役物50が設けられており、センター役物50の上方には、液晶表示装置や回転リールを用いて、文字、図形、動画等種々の表示を行うための可変表示部40が設けられている。また、センター役物50の下方には、入賞を契機に盤面右側に設けられた第二入賞口12、第三入賞口13及び第四入賞口14を開放させることができる変動開始入賞口としての第一入賞口11が設けられており、この第一入賞口11の下方には、入賞を契機に特別図柄の抽選が行われる始動入賞口20と、この始動入賞口20の下方位置し、大当り遊技が当選したときに開放される特別変動入賞装置としての大入賞口30が、それぞれ設けられている。さらに、盤面の右側上方には、遊技球の通過を契機に普通図柄の抽選が行われる通過ゲート15が設けられている。そして、遊技盤１の遊技領域１ａの最下端部中央には、いずれの入賞口にも入賞しなかった遊技球を遊技領域１ａ外部となる遊技盤１の裏面に排出させるアウト口70が設けられている。
【００１８】
前記第二乃至第四入賞口12〜14は、変動入賞装置であって、図２に示すように、それぞれ左右二つの可動片12A〜14Aを備えているとともに、球入り口の上側は釘や障害によって塞がれている。そして、通常時は可動片12A〜14Aは閉じていて、第二乃至第四入賞口12〜14に直接遊技球が入球することはないが、第一入賞口11への入賞を契機に、第二入賞口12の可動片12Aが所定時間開放される。また、第二入賞口12への入賞を契機に第三入賞口13の可動片13Aが所定時間開放され、同様に第三入賞口13への入賞を契機に第四入賞口14の可動片14Aが所定時間開放される。なお、第二乃至第四入賞口12〜14のいずれか１つが開放しているときには、他の入賞口は閉じている。すなわち、第二乃至第四入賞口12〜14は、入賞を条件に、１つずつ順次開放されるようになっているものである。
【００１９】
前記始動入賞口20は、図２に示すように、上下に並んだ２つの入賞口から構成されている。上側に配置されている第一始動口21は、上側から遊技球を受け入れ可能である。下側に配置されている第二始動口22は、いわゆる電チューと呼ばれる電動役物を備えている。そして、通常時は電動役物を構成する左右二つの可動片23は閉じていて、第二始動口22に直接遊技球が入球することはないが、普通図柄の抽選結果に基づいて可動片23が予め設定された時間だけ開放されて、側方から遊技球を受け入れ可能となるものである。すなわち、可動片23が閉じた状態では第一始動口21だけに遊技球が入賞し、可動片23が開いた状態では、上下両方の始動入賞口20に遊技球が入賞可能となる。
【００２０】
前記大入賞口30は、いわゆるアタッカーと呼ばれる開閉扉31が設けられた開口部であり、通常時は、開閉扉31が遊技球を流入させないように閉じた閉塞状態とし、特別図柄の抽選の結果、所定の当りとなった場合には、遊技球が流入し易いように開いた開放状態とするとともに、抽選により決定された所定のラウンド数だけ開閉を繰り返すようになっている。
前記可変表示部40の周囲には、図２に示すように、特別図柄表示部41と、普通図柄表示部42と、保留表示部43,44が設けられている。特別図柄表示部41は、後述する抽選手段110で行われる当り抽選の抽選結果を表す特別図柄を変動表示及び停止表示するためのものである。また普通図柄表示部42は、抽選手段110で行われる開放抽選の抽選結果を表す普通図柄を変動表示及び停止表示するためのものである。保留表示部43,44は保留数を表示するためのものである。
【００２１】
前記可変表示部40は、抽選結果の表示に際し変動表示ゲームを表示し、この変動表示ゲームの当り外れによって上述の抽選結果を表示するようになっている。また、様々な演出的表示が行われ、キャラクタのアニメーション表示等も行われる。
前記センター役物50は、可動役物装置であって、遊技球の流入を防止する周囲壁51で囲まれた内部領域を有し、この内部領域は、円板状の回転体56によって上部領域50Aと下部領域50Bに仕切られている。そして、周囲壁51の左右の側壁には、上部領域50Aに遊技球を取り入れる第一開放口52と、下部領域50Bに遊技球を取り入れる第二開放口53とが二つずつ形成されており、さらに第一開放口52を開閉可能な第一開閉羽根54と、第二開放口53を開閉可能な第二開閉羽根55とが設けられている。
【００２２】
前記回転体56には、遊技球を受け入れ可能な孔が形成されているとともに、回転体56の下方には、前記下部領域50Bの中心部に縦方向に落下通路57が設けられている。そして回転体56の孔のうち、いずれか１つの当り孔に嵌った遊技球は、落下通路57を通ってセンター役物50の下方に設けられた第一入賞口11に誘導される。それ以外のハズレ孔に嵌った遊技球は、特に図示しないが盤面に設けられたハズレ球排出孔から遊技盤１の裏側に排出される。また、下部領域50Bの下側には、第二開放口53から入球した遊技球を第一入賞口11に誘導するための誘導路58が設けられている。すなわち、前記回転体56及び誘導路58は、センター役物50の内部領域に流入した遊技玉を第一入賞口11に誘導する誘導装置として機能するものである。
【００２３】
そして、第一開閉羽根54が開いて第一開放口52から上部領域50Aに遊技球が流入した場合には、遊技球の一部が第一入賞口11に誘導されるにすぎないが、第二開閉羽根55が開いて第二開放口53から下部領域50Bに遊技球が流入した場合には、遊技球の全てが第一入賞口11に誘導されるものとなっている。すなわち、第一空間50Aと第二空間50Bとでは、第一入賞口11への入賞しやすさがそれぞれ異なり、第一開閉羽根54が開放した場合と第二開閉羽根55が開放した場合で、入賞可能性が変化するようになっている。
（遊技の概要）
遊技領域１ａに誘導された遊技球が始動入賞口20に入賞すると、始動口球検知センサ75,76（図３参照）が遊技球を検知することに基づいて、特別図柄による変動表示ゲームの開始契機が付与される。なお、入賞すると所定個数の遊技球が下皿４に払い出される。
【００２４】
変動表示ゲームは、前記可変表示部40に表示される所定の図柄（数字や絵柄などの装飾図柄）及び特別図柄表示部41に表示される数値を、順次切り換えて変動表示した後に一つの数値を停止表示させるものである。ここで、可変表示部40と特別図柄表示部41とは、同じ一つの抽選結果に対応する変動表示ゲームをほぼ同時に表示するものであり、可変表示部40と特別図柄表示部41とは同じ抽選結果を順次表示していく。すなわち、可変表示部40における変動表示と、特別図柄表示部41における変動表示は、ほぼ同時進行して行われ、表示される当りはずれの抽選結果は同じものとなる。なお、可変表示部40と特別図柄表示部41とは、変動表示時間（変動表示の開始タイミングと停止タイミング）とがほぼ同じとなり、当りはずれの結果が等しくなればよく、その他の表示は異なるものでよい。例えば、変動表示ゲームが終了する際に停止表示される当りとなる装飾図柄の組み合わせと、当りとなる特別図柄の組み合わせとは異なるものであってもよい。
【００２５】
そして、特別図柄変動表示ゲームにおいて、各表示領域に停止表示された特別図柄の組み合わせが所定の組み合わせ（所定の停止図柄）となった場合（当りとなった場合）に特別遊技状態（大当り遊技）が発生する。なお、当りはずれの結果は、始動入賞口20への入球検知を契機に、抽選手段110が行う抽選で決定されるものである。
ここで、始動口球検知センサ75,76が始動入賞口20に入賞した遊技球を検知した際、上限となる数値（例えば４つ）の範囲で当該検知が特別図柄始動記憶数として記憶され、この始動入賞に基づいて変動表示ゲーム（装飾図柄および特別図柄の両方の変動表示ゲーム）が開始される場合に、特別図柄始動記憶数から１減算される処理が行われるようになっている。この特別図柄始動記憶数は特別図柄用の保留表示部43に表示される。
【００２６】
特別遊技状態に移行すると、大入賞口30の開閉扉31が開放される。開閉扉31は、所定時間（例えば３０秒）の経過および大入賞口30への所定個数（例えば１０個）の遊技球の入賞という二つの条件のうちのいずれかの条件が達成された段階で閉塞するとともに、再び開放し、前記条件の成立に基づいて閉塞することを所定回数（例えば１５回）繰り返すように制御される。なお、大入賞口30が開放してから閉塞するまでをラウンドと称する。
特別遊技状態には、上記以外にも、開閉扉61の開放を２秒間だけ２ラウンド行うように設定したものや、所定のラウンド終了後に、有利状態（特別図柄抽選の当選確率アップ、普通図柄の変動時間を通常時より短くして単位時間あたりの抽選回数増加など）に移行するように設定されたものがある。これらは、特別図柄抽選の抽選の結果それぞれの種類の当りに対応する図柄が当選となることにより行われる。なお、本実施の形態においては、所定の大当り及び小当りの当選による小当り遊技が行われるようになっているが、その詳細は後述する。
【００２７】
一方、遊技領域１ａに誘導された遊技球が通過ゲート15を通過すると、通過球検知センサ78（図３参照）が遊技球を検知することに基づいて、普通図柄変動表示ゲームの開始の契機が付与される。普通図柄変動表示ゲームは、普通図柄表示部42に表示される数値を順次切り換えて変動表示した後に一つの数値を停止表示し、停止表示された数値が７等の予め決められた当り数値ならば当りとなるものである。なお、当りはずれの結果は、前記通過ゲート15の球検知を契機に、抽選手段110が行う抽選で決定されるものである。
ここで、通過ゲート15を遊技球が通過した際、上限となる数値（例えば４つ）の範囲で当該検知が普通図柄始動記憶数として記憶され、普通図柄変動表示ゲームが開始された際に普通図柄始動記憶数から１減算される処理が行われるようになっている。この普通図柄始動記憶数が普通図柄用の保留表示部44に表示される。
【００２８】
そして、普通図柄変動表示ゲームが当りとなった場合に、第二始動口22の可動片23が開放し、始動入賞口20への遊技球の入賞率が高まり、変動表示ゲームの開始機会が増加するようになっている。
（制御装置８）
ここで、制御装置８の構成を詳述する。
上記制御装置８は、図示しないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、次の（１）乃至（４）の装置を構成する。
【００２９】
（１）遊技制御装置8A
（２）演出制御装置8B
（３）発射制御装置8C
（４）払い出し制御装置8D
遊技制御装置8Aは、当り判定の抽選や盤面の可動役物の作動を制御するためのものである。演出制御装置8Bは、遊技制御装置8A等からの出力信号に基づいて、可変表示部40やスピーカ６、ランプ７の表示を制御するためのものである。また、発射制御装置8C及び払い出し制御装置8Dは、遊技球の遊技領域１ａへの発射及び賞球の払い出しを制御するためのものである。なお、遊技制御装置8A、発射制御装置8C及び払い出し制御装置8Dは、いわゆるメイン基板と呼ばれるものに含まれ、演出制御装置8Bは、いわゆるサブ基板と呼ばれるものに含まれる。
【００３０】
前記演出制御装置8Bの出力段には、可変表示部40、スピーカ６、ランプ７が接続されている。そして、演出制御装置8Bは、特に図示しないが、種々の演出データを記憶した記憶手段を備え、遊技制御装置8Aや各センサからの検知信号に基づいて、可変表示部40に所定の画像を表示させたり、スピーカ６から音声を出力させたり、ランプ７を所定の態様で点滅させたりするものである。
前記発射制御装置8Cの入力段にはハンドル５が接続され、出力段には弾発射装置90が接続されている。ここで、弾発射装置90は、特に図示しないが、ノックアームによりガイドレール10の下方から遊技球を打ち上げるようにしたものである。そして、発射制御装置8Cは、ハンドル５の操作信号に基づいて、弾発射装置90を作動させるものである。
【００３１】
前記払い出し制御装置8Dの入力段には払い出しセンサ79が接続され、出力段には球払い出し装置91が接続されている。ここで、球払い出し装置91は、特に図示しないが、島設備の球循環装置から所定個数の遊技球を取り入れて球皿４に排出するための装置であって、払い出しセンサ79は、払い出される遊技球を検知するためのセンサである。そして、払い出し制御装置8Dは、後述する入賞検知手段120からの入賞信号及び払い出しセンサ79の検知信号に基づいて、球払い出し装置91を作動させるものである。
（遊技制御装置8A）
次に、遊技制御装置8Aについて詳述する。
【００３２】
（入力段）
遊技制御装置8Aの入力段には、図３に示すように、入賞口球検知センサ71,72,73,74、始動口球検知センサ75,76、大入賞口球検知センサ77、及び通過球検知センサ78が接続されている。なお、入力段としては、上記したパーツに限定されるものではない。
ここで、前記入賞口球検知センサ71,72,73,74は、第一乃至第四入賞口11〜14に入球した遊技球を検知するためのセンサであり、第一入賞口11には入賞口検知センサ71が、第二入賞口12には入賞口検知センサ72が、第三入賞口13には入賞口検知センサ73が、第四入賞口14には入賞口検知センサ74が、それぞれ設けられているものである。前記始動口球検知センサ75,76は、始動入賞口20に入球した遊技球を検知するためのセンサであり、第一始動口21には始動口球検知センサ75が、第二始動口22には始動口球検知センサ76が、それぞれ設けられているものである。前記大入賞口球検知センサ77は、大入賞口30に入球した遊技球を検知するためのセンサであり、通過球検知センサ78は、通過ゲート15を通過した遊技球を検知するためのセンサである。いずれのセンサも特に図示しないが、遊技球の通過を検知可能な遮光センサ又は磁気センサとすることができる。
【００３３】
（出力段）
遊技制御装置8Aの出力段には、図３に示すように、入賞口ソレノイド81,82,83、始動口ソレノイド84、大入賞口ソレノイド85、特別図柄表示部41、普通図柄表示部42、保留表示部43,44、開閉羽根ソレノイド86,87、回転体駆動モータ88が接続されている。なお、出力段としては、上記したパーツに限定されるものではない。
ここで、入賞口ソレノイド81,82,83は、第二乃至第四入賞口12〜14に設けられている可動片12A〜14Aを作動させるためのものであり、第二入賞口12には入賞口ソレノイド81が、第三入賞口13には入賞口ソレノイド82が、第四入賞口14には入賞口ソレノイド83が、それぞれ設けられているものである。始動口ソレノイド84及び大入賞口ソレノイド85は、それぞれ、第二始動口22の可動片23及び大入賞口30の開閉扉31を作動させるためのものである。
【００３４】
また、開閉羽根ソレノイド86,87は、センター役物50に設けられている第一開閉羽根54及び第二開閉羽根55をそれぞれ作動させるためのものであり、第一開閉羽根54には開閉羽根ソレノイド86が、第二開閉羽根55には開閉羽根ソレノイド87が、それぞれ２個ずつ設けられているものである。回転体駆動モータ88は、センター役物50の回転体56を回転させるためのものである。
そして、遊技制御装置8Aは、次の（１）乃至（４）の手段として機能する。
（１）特別遊技制御手段100
（２）抽選手段110
（３）入賞検知手段120
（４）役物作動制御手段130
なお、遊技制御装置8Aとしては、上記した（１）乃至（４）の手段に限定されるものではなく、他の手段を含んでいても良い。
【００３５】
（特別遊技制御手段100）
特別遊技制御手段100は、特別遊技状態を制御するためのものであり、次の（１）（２）の手段を備えている。
（１）大当り遊技制御手段101
（２）小当り遊技制御手段102
なお、特別遊技制御手段100としては、上記以外の手段を備えていてもかまわない。
（大当り遊技制御手段101）
大当り遊技制御手段101は、抽選手段110の抽選結果に基づいて、大当り遊技を制御するためのものである。ここで、大当り遊技とは、特別図柄抽選の結果が大当りとなった場合に、所定のラウンド数だけ、大入賞口30が開放される特別開閉遊技である。すなわち、大当り遊技制御手段101は、抽選結果に基づいて、開閉扉31が所定時間、所定回数開閉するように、大入賞口ソレノイド85の作動を制御するものである。
【００３６】
ここで、大当り遊技としては、大入賞口30の開閉が２ラウンド行われた後に確変状態となる「２ラウンド確変当り」、確変中でないときに当選すると大入賞口30の開閉が２ラウンド行われ、確変中に当選すると大入賞口30の開閉が２ラウンド行われた後に通常の当選確率に戻る「２ラウンド通常当り」、大入賞口30の開閉が５ラウンド行われた後に確変状態となる「５ラウンド確変当り」が設けられている。なおここでいう「確変」は、特別図柄抽選の当選確率を変更することである。
（小当り遊技制御手段102）
小当り遊技制御手段102は、小当り遊技を制御するためのものである。ここで、本実施の形態における小当り遊技は、特別図柄抽選の結果が特定の大当り又は小当りとなった場合に開始される連続開閉遊技であって、センター役物50の第一、第二開放口52,53のいずれかが開放され、第一入賞口11への入賞を契機に、第二入賞口12、第三入賞口13、第四入賞口14が順次開放可能となるものである。すなわち、小当り遊技制御手段102は、抽選結果に基づいて、各入賞口12〜14の可動片12A〜14Aが所定時間、所定回数開閉するように、入賞口ソレノイド81,82,83の作動を制御するものである。
【００３７】
なお、特定の大当りに基づいて小当り遊技が行われた場合には、その後大当り遊技に移行するように形成されている。大当り遊技及び小当り遊技の流れについては後に詳述する。
（抽選手段110）
抽選手段110は、所定の抽選契機に基づいて、普通図柄抽選、特別図柄抽選、開閉羽根開放抽選及び入賞口開放抽選を行うためのものであり、次の（１）乃至（４）の手段を備えている。
（１）乱数抽出手段111
（２）乱数記憶手段112
（３）判定テーブル113
（４）判定手段114
（乱数抽出手段111）
乱数抽出手段111は、特に図示しない乱数発生手段の発生する乱数を、所定の契機にピックアップするものである。具体的には、通過球検知センサ78の検知信号受信時に普通図柄抽選用の乱数をピックアップし、始動口球検知センサ75,76の検知信号受信時には特別図柄抽選用の乱数をピックアップする。さらに、小当り当選時及び５ラウンド確変当りの当選時には開閉羽根開放抽選用の乱数をピックアップし、第一乃至第三入賞口11〜13の入賞口球検知センサ71〜73の検知信号受信時には、第二乃至第四入賞口開放抽選用の乱数をピックアップする。
【００３８】
（乱数記憶手段112）
乱数記憶手段112は、前記乱数抽出手段111がピックアップした乱数データを記憶するためのものである。ここで、普通図柄抽選用の乱数及び特別図柄抽選用の乱数は、最大４つまでメモリに格納可能となっている。これは、前述した始動口球検知センサ75,76の検知又は通過球検知センサ78の検知に基づいて記憶される特別図柄始動記憶数又は普通図柄始動記憶数に対応しているものである。そして、特別図柄変動表示ゲーム又は普通図柄変動表示ゲームが開始される際に、先に記憶している乱数データから順に、判定の対象とされた後リセットされる。
【００３９】
（判定テーブル113）
判定テーブル113は、乱数発生手段の発生する乱数値を全範囲として、所定の当り又はハズレの領域を定めたものである。判定テーブル113は、普通図柄抽選、特別図柄抽選、開閉羽根開放抽選及び入賞口開放抽選のそれぞれの抽選毎に設けられており、特別図柄抽選用判定テーブルは、通常時（特別遊技状態又は確変状態でないとき）用と確率変動時用と複数が設けられている。
ここで、特別図柄抽選の当選としては、図１１に示すように、「大当り」及び「小当り」が設けられており、通常時には「大当り」の当選確率が１／３００、「小当り」の当選確率が１／５０となるよう設定された判定テーブル113が用いられる。また、確変時には「大当り」の当選確率が１／３０、「小当り」の当選確率が１／５となるよう設定された判定テーブル113が用いられる。また、「大当り」の判定領域は、「２ラウンド確変当り」、「２ラウンド通常当り」、「５ラウンド確変当り」が６：３：１の比率となるよう設定されている。
【００４０】
また、前記開閉羽根開放抽選は、センター役物50の第一開放口52、第二開放口53のいずれを開放させるか、すなわち開閉羽根ソレノイド86,87のいずれを作動させるかを決定するための抽選であり、第一開放口52の開放に当選する割合が７、第二開放口53の開放に当選する割合が３となるよう設定された判定テーブル113が用いられる。
なお、上記した判定テーブル113の当選確率や領域の割合は一例を示したものであって、これに限定されるものではない。
入賞口開放抽選は、第二入賞口12、第三入賞口13、第四入賞口14を何回又は何秒間開放させるかを決定するための抽選であり、特に図示しないが、例えば３秒ずつ２回、５秒ずつ１回、のように時間及び開閉回数が設定された領域を有する判定テーブル113が用いられる。なお、入賞口の開放態様は上記したものに限られず、例えば開放時間又は回数は予め定められた設定となっていてもよい。
【００４１】
（判定手段114）
判定手段114は、前記乱数記憶手段112の記憶している乱数データと、前記判定テーブル113とを対比して、当該乱数データが属する領域に対応する当選又は状態を決定するものである。
なお、抽選手段110としては、少なくとも特別図柄抽選を実行可能であればよく、普通図柄抽選、開閉羽根開放抽選、入賞口開放抽選を行うための第二、第三、第四の抽選手段を設けてもよい。また、開閉羽根開放抽選は、役物作動制御手段130が行うようにしてもよい。
【００４２】
（入賞検知手段120）
入賞検知手段120は、入賞口球検知センサ71〜74、始動口球検知センサ75,76、大入賞口球検知センサ77の検知信号に基づいて、払い出し制御装置8Dに所定の数の賞球払い出しを指示する入賞信号を出力するものである。
（役物作動制御手段130）
役物作動制御手段130は、センター役物50の作動を制御するためのものである。
具体的には、特別図柄抽選の結果、小当り又は５ラウンド確変当りが当選した場合に、開閉羽根開放抽選の抽選結果に基づいて、第一又は第二開閉羽根54,55のいずれかを開いて第一又は第二開放口52,53を所定時間開放させるとともに、第一開放口52を開放させる場合には回転体56を回転させる。すなわち、役物作動制御手段130は、抽選結果に基づいて、開閉羽根ソレノイド86,87及び回転体駆動モータ88の作動を制御するものである。
【００４３】
（パチンコ遊技機Ｐの作動）
次に、上記構成を有するパチンコ遊技機Ｐの特別遊技制御の流れを、図４乃至図１０のフローチャートに基づき説明する。
まず、図４のステップ１００において、通過球検知センサ78がＯＮとなったか、すなわち通過ゲートを遊技球が通過したか否かが判断される。通過球検知センサ78がＯＮとなった場合には、次のステップ１０１に進む。
ステップ１０１において、普通図柄抽選処理が行われる。このとき、普通図柄変動表示ゲームが行われる。また、普通図柄変動表示ゲーム中に通過球検知センサ78がＯＮとなった場合には保留扱いにされる。そして、次のステップ１０２に進む。
【００４４】
ステップ１０２において、普通図柄抽選の抽選結果に基づいて、始動口ソレノイド84を所定時間開放作動させて第二始動口22を開放する。そして、次のステップ１０３に進む。
前記ステップ１００において通過球検知センサ78がＯＮにならない場合には、ステップ１０１及び１０２を飛び越してステップ１０３に進む。
ステップ１０３において、始動口球検知センサ75,76がＯＮとなったか否か、すなわち第一始動口21又は第二始動口22に入賞したか否かが判断される。始動口球検知センサ75,76がＯＮにならない場合には、ステップ１００に戻り、始動口球検知センサ75,76がＯＮになった場合には、次のステップ１０４に進む。
【００４５】
ステップ１０４において、特別図柄抽選処理が行われる。このとき、特別図柄変動表示ゲームが行われる。また、特別図柄変動表示ゲーム中に始動口球検知センサ75,76がＯＮとなった場合には保留扱いにされる。そして、次のステップ１０５に進む。
ステップ１０５において、特別図柄抽選の抽選結果が大当り当選となったか否かが判断される。抽選結果が大当り当選でない場合には、次のステップ１０６に進む。
ステップ１０６において、特別図柄抽選の抽選結果が小当り当選となったか否かが判断される。抽選結果が小当り当選でない場合、すなわちハズレの場合には、特別遊技制御を終了する。一方、小当りが当選した場合には、次のステップ１０７に進む。
【００４６】
ステップ１０７において、小当りフラグをセットする。すなわち、小当り当選状態であることを記憶する。そして、次のステップ１０８に進む。
ステップ１０８において、開閉羽根開放抽選処理が行われる。この抽選において、第一又は第二開閉羽根54,55の開閉態様（時間、回数など）が決定される。なお、この抽選結果に基づいて、センター役物50が作動開始する。すなわち、第一開閉羽根54の開放が決定された場合には、開閉羽根ソレノイド86を一定時間、一定回数開放作動させて第一開放口52を開放するとともに回転体駆動モータ88を駆動させて回転体56を回転させる。一方、第二開閉羽根55の開放が決定された場合には、開閉羽根ソレノイド87を一定時間、一定回数開放作動させて第二開放口53を開放する。またこのとき、タイマーがタイムカウントを開始する。タイマーの設定は、センター役物50の作動時間に、第一又は第二開放口52,53から入球した遊技球が第一入賞口11に誘導されるのに必要十分な時間を加えた時間とするのが好適である。そして、次のステップ１０９に進む。
【００４７】
ステップ１０９において、入賞口球検知センサ71がＯＮとなったか否か、すなわち第一入賞口11に入賞したか否かが判断される。第一入賞口球検知センサ71がＯＮにならない場合には、次のステップ１１０に進む。
ステップ１１０において、一定時間が経過したか否かが判断される。一定時間が経過しない場合には、ステップ１０９に戻る。一方、一定時間が経過した場合、すなわち、一定時間中に第一入賞口11に入賞しなかった場合には、次のステップ１１１に進む。
ステップ１１１において、小当りフラグをリセットする。そして特別遊技制御を終了する。このように、小当り当選によってセンター役物50が作動しても、一定時間第一入賞口11に入賞しないと、小当り遊技には移行しない。
【００４８】
前記ステップ１０９において、第一入賞口球検知センサ71がＯＮとなった場合には、図５のステップ２００に進む。
図５のステップ２００において、小当り作動フラグをセットする。すなわち、小当り遊技に移行したことを記憶する。そして、次のステップ２０１に進む。
ステップ２０１において、第二入賞口開放抽選処理が行われる。この抽選において、第二入賞口12の開放態様（時間、回数、入賞の上限値など）が決定される。そして、次のステップ２０２に進む。
ステップ２０２において、前記抽選結果に基づいて、入賞口ソレノイド81を一定時間、一定回数開放作動させて第二入賞口12を開放する。なおこのとき、タイマーがタイムカウントを開始する。タイマーの設定は、第二入賞口12の開放時間に、第二入賞口12に入球した遊技球が入賞口球検知センサ72を通過するのに必要十分な時間を加えた時間とするのが好適である。そして、次のステップ２０３に進む。
【００４９】
ステップ２０３において、入賞口球検知センサ72がＯＮとなったか、すなわち第二入賞口12に入賞したか否かが判断される。入賞口球検知センサ72がＯＮとなった場合には、次のステップ２０４に進む。
ステップ２０４において、第三入賞口開放抽選処理が行われる。この抽選において、第三入賞口13の開放態様が決定される。そして、次のステップ２０５に進む。
ステップ２０５において、特に図示しない入賞カウンタが入賞カウントを１加算する。ここで、入賞カウントの初期値は「０」であり、上限値は開放抽選で決定された数とすることができる。あるいは、上限値は例えば「１０」と予め定められていてもよい。また、入賞カウンタは、入賞カウントが上限値に達した場合にカウント値をリセット（ゼロクリア）し、上限値に達しない場合には第三入賞口13の開放時にリセットする。そして、次のステップ２０６に進む。
【００５０】
ステップ２０６において、入賞カウントが上限値に達したか否かが判断される。入賞カウントが上限値に達していない場合には、次のステップ２０７に進む。
前記ステップ２０３において、入賞口球検知センサ72がＯＮにならない場合には、ステップ２０４〜２０６を飛び越して、ステップ２０７に進む。
ステップ２０７において、一定時間が経過したか否かが判断される。一定時間が経過していない場合には、ステップ２０３に戻る。一方、一定時間が経過した場合には、ステップ２０８に進む。
ステップ２０８において、入賞カウントが「０」かどうか、すなわち、第二入賞口12に一個も入賞せずに一定時間が経過したか否かが判断される。入賞カウントが「０」の場合には、図７のステップ４０５に進み、その後、特別遊技制御を終了する。すなわち、第二入賞口12が開放されても一定時間入賞しないと、小当り遊技はその時点で終了する。
【００５１】
前記ステップ２０６において入賞カウントが上限値に達した場合、及び前記ステップ２０８において入賞カウントが「０」でない場合には、図６のステップ３００に進む。
図６のステップ３００において、前記第三入賞口開放抽選の抽選結果に基づいて、入賞口ソレノイド82を一定時間、一定回数開放作動させて第三入賞口13を開放する。なおこのとき、タイマーがタイムカウントを開始する。そして、次のステップ３０１に進む。
ステップ３０１において、入賞口球検知センサ73がＯＮとなったか、すなわち第三入賞口13に入賞したか否かが判断される。入賞口球検知センサ73がＯＮとなった場合には、次のステップ３０２に進む。
【００５２】
ステップ３０２において、第四入賞口開放抽選処理が行われる。この抽選において、第四入賞口14の開放態様が決定される。そして、次のステップ３０３に進む。
ステップ３０３において、入賞カウントを１加算する。そして、次のステップ３０４に進む。
ステップ３０４において、入賞カウントが上限値に達したか否かが判断される。入賞カウントが上限値に達していない場合には、次のステップ３０５に進む。
前記ステップ３０１において、入賞口球検知センサ73がＯＮにならない場合には、ステップ３０２〜３０４を飛び越して、ステップ３０５に進む。
【００５３】
ステップ３０５において、一定時間が経過したか否かが判断される。一定時間が経過していない場合には、ステップ３０１に戻る。一方、一定時間が経過した場合には、ステップ３０６に進む。
ステップ３０６において、入賞カウントが「０」かどうか、すなわち、第三入賞口13に一個も入賞せずに一定時間が経過したか否かが判断される。入賞カウントが「０」の場合には、図７のステップ４０５に進み、その後、特別遊技制御を終了する。すなわち、第三入賞口13が開放されても一定時間入賞しないと、小当り遊技はその時点で終了する。
前記ステップ３０４において入賞カウントが上限値に達した場合、及び前記ステップ３０６において入賞カウントが「０」でない場合には、図７のステップ４００に進む。
【００５４】
図７のステップ４００において、前記第四入賞口開放抽選の抽選結果に基づいて、入賞口ソレノイド83を一定時間、一定回数開放作動させて第四入賞口14を開放する。なおこのとき、タイマーがタイムカウントを開始する。そして、次のステップ４０１に進む。
ステップ４０１において、入賞口球検知センサ74がＯＮとなったか、すなわち第四入賞口14に入賞したか否かが判断される。入賞口球検知センサ74がＯＮとなった場合には、次のステップ４０２に進む。
ステップ４０２において、入賞カウントを１加算する。そして、次のステップ４０３に進む。
【００５５】
ステップ４０３において、入賞カウントが上限値に達したか否かが判断される。入賞カウントが上限値に達していない場合には、次のステップ４０４に進む。
前記ステップ４０１において、入賞口球検知センサ74がＯＮにならない場合には、ステップ４０２〜４０３を飛び越して、ステップ４０４に進む。
ステップ４０４において、一定時間が経過したか否かが判断される。一定時間が経過していない場合には、ステップ４０１に戻る。一方、一定時間が経過した場合には、ステップ４０５に進む。
ステップ４０５において、小当り作動フラグをリセットする。そして、次のステップ４０６に進む。
【００５６】
ステップ４０６において、小当りフラグをリセットする。そして特別遊技制御を終了する。
なお、図５のステップ２０４の第三入賞口開放抽選処理、図６のステップ３０２の第四入賞口開放抽選処理は、最初に第二入賞口12又は第三入賞口13に入賞したときのみ、抽選を行うようにしてもよいし、入賞する度に抽選を行うようにしてもよい。後者の場合には、抽選結果をその都度書き換えて記憶し、入賞カウントが上限値に達したとき、又は一定時間が経過したときに記憶している抽選結果に基づいて、第三、第四入賞口13,14が開放される（以下、図８のステップ５０８、図９のステップ６０２において同じ）。
【００５７】
以上、図５乃至図７では、特別図柄抽選で小当りが当選して小当り遊技が行われる場合の制御の流れを説明したが、次に、特定の大当り当選によって小当り遊技が行われる場合の制御の流れを説明する。
前述した図４のステップ１０５において、特別図柄抽選の抽選結果が大当り当選の場合には、図８のステップ５００に進む。
図８のステップ５００において、大当りフラグをセットする。すなわち、大当り当選状態であることを記憶する。そして、次のステップ５０１に進む。
ステップ５０１において、大当り当選のうち５ラウンド確変当りが当選したか否かが判断される。５ラウンド確変当りが当選している場合には、次のステップ５０２に進む。
【００５８】
ステップ５０２において、開閉羽根開放抽選処理を行う。なお、この抽選結果に基づいて、センター役物50が作動開始し、タイマーがタイムカウントを開始する。そして、次のステップ５０３に進む。
ステップ５０３において、入賞口球検知センサ71がＯＮとなったか否か、すなわち第一入賞口11に入賞したか否かが判断される。入賞口球検知センサ71がＯＮにならない場合には、次のステップ５０４に進む。
ステップ５０４において、一定時間が経過したか否かが判断される。一定時間が経過しない場合には、ステップ５０２に戻る。一方、一定時間が経過した場合には、図１０のステップ７０１に進む。すなわち、センター役物50が作動しても一定時間第一入賞口11に入賞しないと小当り遊技には移行せず、大当り遊技に移行するようになっている。
【００５９】
前記ステップ５０３において、入賞口球検知センサ71がＯＮとなった場合には、ステップ５０５に進む。
ステップ５０５において、５ラウンド確変小当り作動フラグをセットする。すなわち、５ラウンド確変当りに基づく小当り遊技に移行したことを記憶する。そして、次のステップ５０６に進む。
ステップ５０６において、第二入賞口開放抽選処理を行い、前記抽選結果に基づいて、入賞口ソレノイド81を一定時間、一定回数開放作動させて第二入賞口12を開放する。そして、次のステップ５０７に進む。
【００６０】
ここで、ステップ５０７〜５１２までの流れは、前述した図５のステップ２０３〜２０８と同様であるので説明を省略する。
そして、ステップ５１０において入賞カウントが上限値に達した場合、及びステップ５１２において入賞カウントが「０」でない場合には、図９のステップ６００に進む。
ここで、図９のステップ６００〜６１１までの流れは、前述した図６のステップ３００〜３０６及び図７のステップ４００〜４０４と同様であるので説明を省略する。
そして、前記図８のステップ５１２、図９のステップ６０６において、入賞カウントが「０」の場合、すなわち第二入賞口12又は第三入賞口13に一個も入賞せずに一定時間が経過した場合には、図１０のステップ７００に進む。すなわち、小当り遊技は途中で終了し、その後大当り遊技に移行する。一方、図９のステップ６１１において一定時間が経過した場合には、第四入賞口14への入賞の有無に関わらず、図１０のステップ７００に進む。
【００６１】
図１０のステップ７００において、５ラウンド確変小当り作動フラグをリセットする。そして、次のステップ７０１に進む。前記図８のステップ５０４において一定時間が経過した場合にも、ステップ７０１に進む。
ステップ７０１において、大当り作動フラグをセットする。すなわち、大当り遊技に移行したことを記憶する。そして、次のステップ７０２に進む。
ステップ７０２において、特に図示しないラウンド数カウンタがラウンド数の設定をする。ラウンド数は大当りの種類によって定められており、例えば５ラウンド確変当りなら「５」、２ラウンド通常当りなら「２」である。あるいはラウンド抽選によって決定された数値としてもよい。そして、次のステップ７０３に進む。
【００６２】
ステップ７０３において、大入賞口ソレノイド85を開放作動させて大入賞口30を開放する。このとき、タイマーがタイムカウントを開始する。そして、次のステップ７０４に進む。
ステップ７０４において、大入賞口球検知センサ77がＯＮとなったか否か、すなわち大入賞口30に入賞したか否かが判断される。大入賞口球検知センサ77がＯＮとなった場合には、次のステップ７０５に進む。
ステップ７０５において、入賞カウントを１加算する。そして、次のステップ７０６に進む。
【００６３】
ステップ７０６において、入賞カウントが上限値に達したか否かが判断される。入賞カウントが上限値に達していない場合には、次のステップ７０７に進む。
前記ステップ７０４において、大入賞口球検知センサ77がＯＮにならない場合には、ステップ７０５、７０６を飛び越してステップ７０７に進む。
ステップ７０７において、一定時間が経過したか否かが判断される。一定時間が経過していない場合には、ステップ７０４に戻る。一方、一定時間が経過した場合には、次のステップ７０８に進む。
前記ステップ７０６において、入賞カウントが上限値に達した場合には、ステップ７０７を飛び越してステップ７０８に進む。
【００６４】
ステップ７０８において、大入賞口ソレノイド85を閉塞作動させて大入賞口30を閉鎖する。そして、次のステップ７０９に進む。
ステップ７０９において、ラウンド数を１減算する。そして、次のステップ７１０に進む。
ステップ７１０において、ラウンド数が「０」となったか否かが判断される。ラウンド数が「０」でない場合、すなわち残りラウンドがある場合には、ステップ７０２に戻る。一方、ラウンド数が「０」の場合には、次のステップ７１１に進む。
ステップ７１１において、大当り作動フラグをリセットする。そして、次のステップ７１２に進む。
【００６５】
ステップ７１２において、大当りフラグをリセットする。そして特別遊技制御を終了する。
なお、確変当りが当選している場合には、特別遊技終了後において、特別図柄抽選の判定テーブル113が高確率テーブルに変更される。また、確変中に２ラウンド通常当りが当選している場合には、特別遊技終了後において、判定テーブル113が高確率テーブルから通常テーブルに変更される。
このように、本実施の形態によれば、特定の大当り（５ラウンド確変）又は小当りの当選によって、入賞口が順次開放していく小当り遊技が行われる。そして、小当り当選時の小当り遊技では、第二乃至第四入賞口12〜14に入賞させることが小当り遊技継続の条件となっていることに加え、特定の大当りでは第二乃至第四入賞口12〜14をすべて開放させた後にさらに大入賞口30の開放による大当り遊技が行われるので、小当り遊技が出玉を増やす上で重要なポイントとなる。また、通常時において、小当りの当選確率は大当りよりも高く設定されており、確変後は大当りも小当りも当選確率が上がるので、確変中に２ラウンド通常当りを引いてしまい確変が終了するまでの間に、いかに小当りを引いて入賞口を連続開放させるか、という新たな遊技性を提供することができるものとなる。
【００６６】
なお、小当り遊技に移行可能な特定の大当りは、５ラウンド確変当り以外の当りとしてもよい。
ところで、上記実施の形態では、変動入賞装置として、第二乃至第四入賞口12〜14の３個の入賞口を設けてあったが、変動入賞装置の数は３個には限られない。例えば３個以上設けてもよいし、２個であってもよい。少なくとも、開放順序が最上位の入賞口と、最下位の入賞口の２個を有していればよい。変動入賞装置の数が多いほど、小当り遊技で増やせる出玉数が大きくなる。
また、上記実施の形態では、センター役物50の内部領域を上下に分け開閉羽根を二対設けてあったが、内部領域は左右に分割されていても良い。この場合、左右いずれか一方の領域に遊技球を流入させる開放口を２つ設け、他方の領域に遊技球を流入させる開放口を１つ設けて、いずれの開放口が開放されるかによって第一入賞口11に誘導される球数が異なるように（つまり入賞の可能性が異なるように）形成してもよい。
【００６７】
あるいは、内部領域は単一であってもよい。この場合は、領域内に流入した遊技球を第一入賞口11とそれ以外の球出口に振り分ける振り分け装置（回転体など）を備えるのがよい。
さらに、本発明においては、センター役物50を設けない場合も含まれる。この場合には、第一入賞口11に可動片を設け、通常時は可動片を閉じて閉塞状態にしておくとともに、小当り又は特定の大当り当選時に可動片を開放するように形成するとよい。可動片の開閉回数、開放時間などを抽選により決定してもよい。また、第一入賞口11に可動片を設けず、通常時には入賞しても賞球を払い出すだけにして、小当り又は特定の大当り当選時に入賞した場合のみ、第二入賞口開放抽選を行うように形成してもよい。
【図面の簡単な説明】
【００６８】
【図１】本発明の実施の形態であって、パチンコ遊技機の外観正面図である。
【図２】本発明の実施の形態であって、遊技盤の正面図である。
【図３】本発明の実施の形態であって、パチンコ遊技機の入力、出力及び制御手段を示すブロック図である。
【図４】本発明の実施の形態であって、パチンコ遊技機の作動の流れを示すフローチャートである。
【図５】図４の続きのフローチャートである。
【図６】図５の続きのフローチャートである。
【図７】図６の続きのフローチャートである。
【図８】図４の続きのフローチャートである。
【図９】図８の続きのフローチャートである。
【図１０】図１、図８、図９の続きのフローチャートである。
【図１１】大当り及び小当り確率の設定の一例を示す表である。
【符号の説明】
【００６９】
Ｐ  パチンコ遊技機
１  遊技盤                        １ａ  遊技領域
２  筐体                          ３  前扉
3A  ガラス枠
４  球皿                          ５  ハンドル
６  スピーカ                      ７  ランプ
８  制御装置
8A  主制御装置                    8B  副制御装置
8C  発射制御装置                  8D  払い出し制御装置
10  ガイドレール                  11  第一入賞口（変動開始入賞口）
12  第二入賞口（変動入賞装置）   12A  可動片
13  第三入賞口（変動入賞装置） 13A  可動片
14  第四入賞口（最下位の変動入賞装置）14A  可動片
15  通過ゲート
20  始動入賞口                    21  第一始動口
22  第二始動口                    23  可動片
30  大入賞口（特別変動入賞装置）  31  開閉扉
40  可変表示部
50  センター役物（可動役物装置） 50A  上部領域（第一領域）
50B  下部領域（第二領域）          51  周囲壁
52  第一開放口                    53  第二開放口
54  第一開閉羽根（第一開閉装置）  55  第二開閉羽根（第二開閉装置）
56  回転体（誘導装置）            57  落下通路
58  誘導路（誘導装置）            60  アウト口
71,72,73,74  入賞口球検知センサ
75,76 始動口球検知センサ          77  大入賞口球検知センサ
78  通過球検知センサ              79  払い出しセンサ
81,82,83  入賞口ソレノイド        84  始動口ソレノイド
85  大入賞口ソレノイド            86,87  羽根開放ソレノイド
88  回転体駆動モータ
90  球発射装置                    91  球払い出し装置
100  特別遊技制御手段（特別遊技状態発生手段）
101  大当り遊技制御手段           102  小当り遊技制御手段
110  抽選手段                     120  可動片作動制御手段
130  役物作動制御手段
【図１】
0005363758.tif 000002
【図２】
0005363758.tif 000003
【図３】
0005363758.tif 000004
【図４】
0005363758.tif 000005
【図５】
0005363758.tif 000006
【図６】
0005363758.tif 000007
【図７】
0005363758.tif 000008
【図８】
0005363758.tif 000009
【図９】
0005363758.tif 000010
【図１０】
0005363758.tif 000011
【図１１】
0005363758.tif 000012